(57)【要約】【課題】放送エリアの境界を越えてもユーザの番組視聴を妨げることなくチャンネルスキャンを行い、継続して同一の番組をユーザに視聴させることが可能なデジタル放送受信機を提供すること。【解決手段】デジタル放送受信機１００は、視聴する番組を番組情報とともに受信する第１チューナ１１０と、第１チューナ１１０の受信レベルが低下した際に自動的にチャンネルスキャンを行い現在受信可能な番組の番組情報を取得する第２チューナ１２０を備える。そして、視聴中の番組の番組情報と、取得した現在受信可能な番組の番組情報と、を比較して、現在受信可能な番組の番組の中に、視聴中の番組と同一の番組があれば、第１チューナ１１０又は第２チューナ１２０が当該番組の受信を開始する。【選択図】図１
2009088824.tif 000002
【特許請求の範囲】
【請求項１】
視聴する番組を番組情報とともに受信する第１のチューナと、
前記第１のチューナの受信レベルが低下した際に自動的にチャンネルスキャンを行い現在受信可能な番組の番組情報を取得する第２のチューナと、を備え、
前記第１のチューナで視聴中の番組の番組情報と、前記第２のチューナで取得した受信可能な番組の番組情報と、を比較して、現在受信可能な番組の番組の中に、視聴中の番組と同一の番組があれば、前記第１又は第２のチューナが当該番組の受信を開始することを特徴とするデジタル放送受信機。
【請求項２】
視聴のための第１のチューナとともに、チャンネルスキャンのための第２のチューナを備え、
前記第１のチューナは、現在視聴中の番組の番組情報を取得し、
前記第２のチューナは、前記第１のチューナの受信レベルが低下した際に、自動的にチャンネルスキャンを行い、併せて、現在受信可能な番組の番組情報を取得し、
更に、前記現在視聴中の番組の番組情報と、前記現在受信可能な番組の番組情報と、を比較し、前記現在受信可能な番組の中に前記現在視聴中の番組と同一の番組があれば、前記第１又は第２のチューナに当該番組の受信を開始させる番組情報比較手段を有することを特徴とするデジタル放送受信機。
【請求項３】
前記番組情報比較手段は、番組情報に含まれる番組名を文字列比較し、同一の文字列を確認した場合は同一の番組とみなすことを特徴とする請求項２記載のデジタル放送受信機。
【請求項４】
前記番組情報比較手段は、番組情報に含まれる事業者識別情報に基づいて同一の事業者識別情報を確認した場合は同一の番組とみなすことを特徴とする請求項２又は３記載のデジタル放送受信機。
【請求項５】
前記番組情報比較手段は、番組情報に含まれる番組識別情報に基づいて同一の番組識別情報を確認した場合は同一の番組とみなすことを特徴とする請求項２から４のいずれか１項記載のデジタル放送受信機。
【請求項６】
更に、受信機の位置情報を取得する位置情報取得手段を有し、
前記第２のチューナは、前記第１のチューナの受信レベルが低下した際及び前記位置情報取得手段が取得した位置情報に基づき受信機が放送エリアを越境したと判断される場合に、自動的にチャンネルスキャンを行うことを特徴とする請求項２から５のいずれか１項記載のデジタル放送受信機。
【請求項７】
前記番組情報は、ＥＩＴ（Ｅｖｅｎｔ  Ｉｎｆｏｒｍａｔｉｏｎ  Ｔａｂｌｅ）であることを特徴とする請求項２から６のいずれか１項記載のデジタル放送受信機。
【発明の詳細な説明】
【技術分野】
【０００１】
本発明は、デジタル放送受信機に関し、特に、移動体に搭載したデジタル放送受信機に関する。
【背景技術】
【０００２】
地上デジタルテレビジョン放送（以下、「地上デジタル放送」と呼ぶ）は、地上のデジタル方式の無線局により行われるテレビジョン放送である。地上デジタル放送は、例えば、ＡＲＩＢ  ＴＲ−Ｂ１４で示される固定受信機の場合、家屋等に固定的に設置された受信機を用いて受信されることを前提としているため、自動車等の移動体に受信機を搭載して受信する際には種々の不都合がある。
【０００３】
種々の不都合とは、各都道府県毎に放送局が異なるため、また、同一の放送局であっても送信所（中継局）が異なれば、異なる周波数で放送波を送出しているため、県境等を越えて同一の番組を継続して視聴することが難しいことなどが挙げられる。このような問題点に対処するための技術としては、特許文献１，２記載の技術がある。
【０００４】
あらかじめ地方毎のチャンネルスキャンリストを受信機内に格納しておき、現在走行中の地域に応じてそのスキャンリストをユーザが選択する。若しくは、現在使用中のチャンネルスキャンリスト内に枝番を含んだチャンネルが存在する場合に、その枝番付きチャンネルに切り換えることにより、継続視聴できるような仕組みとしていた（例えば、特許文献１）。しかしながら、特許文献１記載の技術では、枝番チャンネルが存在しない場合には、ユーザが改めてチャンネルスキャンをする必要がある。
【０００５】
特許文献２には、チューナを２個使い、場合により一方のチューナでチャンネルスキャンを実施する仕組みであるが、チャンネルスキャン実施のタイミングについては記載されていない。また、表示チャンネルを切り替える場合に、現在視聴に使っていない側のチューナを、チャンネル切替後のチャンネルにセットした状態で表示切替する旨記載されているが、単なる視聴の中断を無くすための仕組みでしかなく、現在視聴中の番組と同一の番組に対し、自動追従する仕組みにはなっていない。
【特許文献１】特開２００７−０８８６７３号公報
【特許文献２】特開２００５−０４５５０８号公報
【発明の開示】
【発明が解決しようとする課題】
【０００６】
本発明は、上記実情に鑑みて、放送エリアの境界を越えてもユーザの番組視聴を妨げることなくチャンネルスキャンを行い、継続して同一の番組をユーザに視聴させることが可能なデジタル放送受信機を提供することを目的とする。
【課題を解決するための手段】
【０００７】
上記目的を達成するための本発明の第１の態様は、視聴する番組を番組情報とともに受信する第１のチューナと、前記第１のチューナの受信レベルが低下した際に自動的にチャンネルスキャンを行い現在受信可能な番組の番組情報を取得する第２のチューナと、を備え、前記第１のチューナで視聴中の番組の番組情報と、前記第２のチューナで取得した受信可能な番組の番組情報と、を比較して、現在受信可能な番組の番組の中に、視聴中の番組と同一の番組があれば、前記第１又は第２のチューナが当該番組の受信を開始することを特徴とするデジタル放送受信機である。
【０００８】
また、本発明の第２の態様は、視聴のための第１のチューナとともに、チャンネルスキャンのための第２のチューナを備え、前記第１のチューナは、現在視聴中の番組の番組情報を取得し、前記第２のチューナは、前記第１のチューナの受信レベルが低下した際に、自動的にチャンネルスキャンを行い、併せて、現在受信可能な番組の番組情報を取得し、更に、前記現在視聴中の番組の番組情報と、前記現在受信可能な番組の番組情報と、を比較し、前記現在受信可能な番組の中に前記現在視聴中の番組と同一の番組があれば、前記第１又は第２のチューナに当該番組の受信を開始させる番組情報比較手段を有することを特徴とするデジタル放送受信機である。
【発明の効果】
【０００９】
本発明によれば、放送エリアの境界を越えてもユーザの番組視聴を妨げることなくチャンネルスキャンを行い、継続して同一の番組をユーザに視聴させることが可能なデジタル放送受信機を提供することが可能となる。
【発明を実施するための最良の形態】
【００１０】
以下、本発明の好適な実施の形態について図面を参照して説明する。
本実施形態は、自動車等での移動中に、地上デジタル放送を視聴している場合、送信所（中継局）の切り替わりや、県境を越えた場合などは自動でチャンネルスキャンを実施し、常に移動中の場所に応じた受信可能チャンネルを確保しつつ、県境を越えた場合でも現在視聴中の番組が、別な放送局で送出されていれば、自動でチャンネルを切り替え、引き続き視聴できるようにするものである。
【００１１】
図１は、本実施形態に係る地上デジタル放送受信機の構成を示すブロック図である。図１において、デジタル放送受信機１００は、チューナを２系統装備し、それぞれが共にＴＶ視聴可能な構造をもつ。ただし、（図示しない）表示装置は１組であり、いずれか一方のチューナからの出力が接続されている。
【００１２】
図１に示した各系統のチューナの各部について説明する。なお、第１チューナ１１０の系統の各部と第２チューナ１２０の系統の各部は、同じ働きをするので、第１チューナ１１０側の各部のみ説明する。選局部１１１は、アンテナ１０１で受信する放送波の周波数をチューニングする機能を持つ。復調部１１２は、選局部１１１で得た変調波をデジタル信号に復調してフィルタ１１３に渡す処理を行う。
【００１３】
フィルタ１１３は、渡されたデジタル信号を、表示に必要なものだけをフィルタリングして信号処理部１１４に渡す。信号処理部１１４では、番組情報であるＥＩＴ（Event Information Table）を番組情報１１５に格納する他、映像信号や音声信号等を（図示しない）表示装置に出力する。また、信号処理部１１４は、選局部１１１を制御して、チャンネルスキャン部１０２からチャンネルスキャンの指示を受けた場合に各周波数にチューニングを行う。
【００１４】
チャンネルスキャン部１０２が信号処理部１１４にチャンネルスキャンの指示をするのは、視聴中でないチューナの方である。例えば、第１チューナによる出力が視聴に用いられている場合、視聴していない側のチューナである第２チューナがチャンネルスキャン部１０２の指示によりチャンネルスキャンを実行する。また、チャンネルスキャン部１０２がチャンネルスキャンの指示をするのは、特定の条件（受信レベルの低下など）の場合である。本実施形態の地上デジタル放送受信機は、このような仕組みによって、番組視聴を妨げることなくチャンネルスキャンすることができる。
【００１５】
チャンネルスキャン部１０２がチャンネルスキャンを実行する特定の条件について説明する。第１は、受信レベル（Ｃ／Ｎ，ＢＥＲ）の低下を検出した場合である。第２は、放送エリア境界の越境を検出した場合である。地上デジタル放送受信機は、更に、ＧＰＳ（Global Positioning Systems）１０４を具備し、ＧＰＳ１０４により放送エリア境界を越えたと判断された場合に、２系統のチューナに設定する県域コードの変更をし、また、自動的にチャンネルスキャンする。
なお、第１と第２の条件は、少なくともいずれか一方を満たせばよいが、放送エリア境界の越境は受信レベルの低下を同時に伴うことが多く、受信レベルの低下を必須条件とすることが好ましい。
【００１６】
チャンネルスキャン部１０２は、チャンネルスキャン実行の際に、チャンネルリストを生成するだけではなく、新たなチャンネルリストに含まれた放送局の、現在受信可能な番組情報を併せて取得する。生成したチャンネルリストはスキャン結果１０５に格納される。また、現在受信可能な番組の番組情報は、番組情報１２５に格納される。
【００１７】
ここで、番組情報比較部１０３は、番組情報１１５に格納されている現在ユーザが視聴中の番組の番組情報と、現在受信可能な番組の番組情報と、を比較し、現在受信可能な番組の中に視聴中の番組と同一の番組があるかないかを判断する。もし見つかれば、チャンネルスキャンを実行していた方の第２チューナ１２０でその放送局を選局し番組受信を開始する。その後、表示装置側でチューナを切り換え、ユーザに意識させる事無く継続して番組を視聴し続けさせることができる。
【００１８】
なお、上述の構成では同一の番組を検出した場合、第２チューナ１２０に番組の受信を切り換える構成としたが、第１チューナ１１０がその番組の受信を開始する構成としてもよい。
なお、スキャンにより、同一番組が放送されていないことが判明した場合は、チューナの切換は行わない。その後の選局処理はユーザの操作に委ねられる。
【００１９】
同一の番組があるかないかを検出する具体的方法は、大きく分けて２通りの場合に対して３つの方法がある。２通りの場合とは、第１に、同一放送局で違う周波数で放送されている場合（送信所が異なる場合など）であり、第２に、番組が異なる放送局から放送されている場合（県境をまたいだ場合など）である。
【００２０】
第１の場合、放送波中に含まれる「事業者識別コード」と呼ばれる放送局単位で割り当てられたＩＤを参照し、同一の事業者識別コードを確認すれば同一放送局からの電波であると判断する方法を用いる。周波数が異なっても同一放送局からの電波であることがわかれば、同一の番組を放送しているとみなすことができる。
【００２１】
また、第１の場合、同一放送局であっても地域ごとに別な放送を流している場合もあり得るため、送出されているＥＩＴ（番組情報）中にあるevent_idを比較し、同一idであれば同一番組放送中であると判断することがなお好ましい。
【００２２】
第２の場合、各放送波に含まれるＥＩＴ（番組情報）中にある番組名情報について、番組情報比較部１０３は、現在視聴中の番組名と、スキャン実施中に取得した現在受信可能な番組名を比較（文字列比較）し、同一の文字列が確認できた場合には、同一の番組が放送されているものと判断する。これは、ＥＩＴ中のevent_idも異なるためである。
【００２３】
以上、図１に示した本実施形態の構成を各部の動作とともに説明した。ここで、図２のフローチャートを参照して更に詳細に本実施形態の動作を説明する。
【００２４】
図２において、デジタル放送受信機１００は、第１チューナ１１０の受信レベルが低下したか否かを判断し（ステップＳ２０１）、低下したと判断される場合は、ＧＰＳ１０４に基づき県境を越えたか否かを判断する（ステップＳ２０２）。県境を越えたと判断された場合（ステップＳ２０２／Ｙｅｓ）、県域コードを変更する（ステップＳ２０３）。
【００２５】
次に、デジタル放送受信機１００は、第２チューナ１２０でチャンネルスキャンを実行し（ステップＳ２０４）、スキャンでヒットしたチャンネルにおける現在受信可能な番組の番組情報を取得する（ステップＳ２０５）。そして、取得した現在受信可能な番組の番組情報の中に、第１チューナ１１０で現在視聴中の番組と同一番組が放送されているかを判断する（ステップＳ２０６）。この判断は、番組情報比較部１０３が行う。
【００２６】
同一番組が放送されていると判断される場合（ステップＳ２０６／Ｙｅｓ）、デジタル放送受信機１００は、第２チューナ１２０が取得した現在受信可能な番組の番組情報に基づいて作られた新チャンネルリスト（新しいチャンネルプリセット）に切り替え（ステップＳ２０７）、第２チューナ１２０で第１チューナ１１０と同一番組が放送されているチャンネルを選局し（ステップＳ２０８）、第２チューナ１２０側に実際に切り替える（ステップＳ２０９）。本実施形態は、このように動作するので、ユーザの番組視聴を妨げることなくチャンネルスキャンができ、ユーザに意識させることなく継続して同じ番組を視聴し続けさせることができる。
【００２７】
なお、同一の番組が放送されているとは判断されない場合は（ステップＳ２０６／Ｎｏ）、ユーザに新チャンネルリスト（新しいチャンネルプリセット）に変更するか否かの判断を委ね（ステップＳ２１０）、変更する場合は、新チャンネルリストに切り替え（ステップＳ２１１）、第１チューナ１１０で視聴中だったチャンネルのワンタッチキーＩＤと同一のチャンネルを第２チューナ１２０で選局し（ステップＳ２１２）、第２チューナ１２０側に実際に切り替える（ステップＳ２１３）。
【００２８】
なお、上記動作において、第２チューナ１２０で受信開始した後は、第１チューナ１１０の受信を停止することが好ましい。第１チューナ１１０の受信を停止させてチャンネルスキャン可能な状態におくことによって、２つのチューナのどちらかによって常にチャンネルスキャンが可能な状態が保つことができる。
なお、上記動作ではステップＳ２０７ないしステップＳ２０９において、番組の受信を第２チューナ１２０が開始するものとしたが、第１チューナ１１０が開始するものとしてもよい。
【００２９】
以上、本発明の好適な実施の形態について説明したが、本発明はこれに限定されるものではなく、要旨を逸脱しない範囲内で種々の変形実施が可能である。
【図面の簡単な説明】
【００３０】
【図１】本発明の実施の形態に係るデジタル放送受信機の構成を示すブロック図である。
【図２】本発明の実施の形態に係るデジタル放送受信機の動作を示すフローチャートである。
【符号の説明】
【００３１】
１００    デジタル放送受信機
１０１    アンテナ
１０２    チャンネルスキャン部
１０３    番組情報比較部
１０４    ＧＰＳ
１０５    スキャン結果
１１０，１２０    第１（第２）チューナ
１１１，１２１    選局部
１１２，１２２    復調部
１１３，１２３    フィルタ
１１４，１２４    信号処理部
１１５，１２５    番組情報
【図１】
2009088824.tif 000003
【図２】
2009088824.tif 000004